(57)【要約】【課題】  例えば、総義歯を製作する際に行う咬合床への人工歯の排列を、再排列の必要が生じるといったことがないように簡易かつ的確に行う方法を提供すること。【解決手段】  本発明の人工歯排列方法は、人工歯２本と床用レジンで製作された上顎左右中切歯部に相当するピースを、円形、方形、尖形の３つの個性のそれぞれにつき、少なくとも色の違いおよび／または大きさの違いに基づいて複数種類用意しておいて、歯科医師が咬合採得した際、用意しておいたピースの中で最も患者に適合したピースを、上顎咬合床に正中線を指標に付着させておき、人工歯排列担当者が咬合床に人工歯を排列する際、上顎咬合床に付着させてあるピースを基準に排列することを特徴とするものである。  【選択図】  図２
2005287966.tif 000002
【特許請求の範囲】
【請求項１】
人工歯２本と床用レジンで製作された上顎左右中切歯部に相当するピースを、円形、方形、尖形の３つの個性のそれぞれにつき、少なくとも色の違いおよび／または大きさの違いに基づいて複数種類用意しておいて、歯科医師が咬合採得した際、用意しておいたピースの中で最も患者に適合したピースを、上顎咬合床に正中線を指標に付着させておき、人工歯排列担当者が咬合床に人工歯を排列する際、上顎咬合床に付着させてあるピースを基準に排列することを特徴とする人工歯排列方法。
【請求項２】
円形、方形、尖形の３つの個性のそれぞれについて、少なくとも色の違いおよび／または大きさの違いに基づいて複数種類用意された、人工歯２本と床用レジンで製作された上顎左右中切歯部に相当するピースから構成されてなることを特徴とする上顎左右中切歯部ピースセット。
【発明の詳細な説明】
【技術分野】
【０００１】
本発明は、例えば、総義歯を製作する際に行う咬合床への人工歯の排列を、再排列の必要が生じるといったことがないように簡易かつ的確に行う方法に関する。
【背景技術】
【０００２】
義歯床と人工歯とからなる総義歯は、例えば、義歯床に対応する蝋製の咬合床に人工歯を排列し、その後、その咬合床をレジン製の義歯床に置き換えて製作される。総義歯の製作工程の中で、咬合床に人工歯を排列する工程は、総義歯の出来を左右する重要な工程であり、本来的には歯科医師によってなされるものであるが、多くの場合、咬合採得は歯科医師により行われ、咬合床への人工歯の排列は歯科技工士により行われる。この場合、歯科医師は、歯科技工士が咬合床に人工歯を的確に排列することができるように、咬合床に正中線などの各種表示線を記入しておいてこれを歯科技工士に引き渡す。また、歯科医師は、シェードガイドを用いて採用すべき人工歯の色を決定し、その情報を歯科技工士に伝えるなどしている。
クリニックとは異なった場所で作業を行う歯科技工士は、自分で患者から直接に情報を引き出すことができないので、咬合床に人工歯を的確に排列するための情報は、咬合床に記入された表示線を含め、歯科医師から伝えられる情報が全てとなる。従って、歯科医師から伝えられる情報は多ければ多いほどよいことは言うまでもない。しかしながら、咬合床に人工歯を的確に排列するための情報は、歯科医師から歯科技工士にいわば散乱的に伝えられているのが実情であり、歯科技工士にとって必要な情報が不足している場合もある。このような場合、歯科技工士は、自らの経験と勘を拠り所にして人工歯を排列せざるを得ないことから、時には、その結果が、患者に不適合なものとなってしまい、再排列の必要が生じることもある。
このような問題を解消するための１つの方法として、下記の特許文献１では、咬合床に前歯部の位置を正しく判り易く表記するための人工歯排列用前歯部位置表示シールなるものが提案されているが、よりよい方法が望まれている。
【特許文献１】特開２００２−３３０９８１号公報
【発明の開示】
【発明が解決しようとする課題】
【０００３】
そこで本発明は、例えば、総義歯を製作する際に行う咬合床への人工歯の排列を、再排列の必要が生じるといったことがないように簡易かつ的確に行う方法を提供することを目的とする。
【課題を解決するための手段】
【０００４】
上記の技術背景に鑑みてなされた本発明の人工歯排列方法は、請求項１記載の通り、人工歯２本と床用レジンで製作された上顎左右中切歯部に相当するピースを、円形、方形、尖形の３つの個性のそれぞれにつき、少なくとも色の違いおよび／または大きさの違いに基づいて複数種類用意しておいて、歯科医師が咬合採得した際、用意しておいたピースの中で最も患者に適合したピースを、上顎咬合床に正中線を指標に付着させておき、人工歯排列担当者が咬合床に人工歯を排列する際、上顎咬合床に付着させてあるピースを基準に排列することを特徴とする。
また、本発明の上顎左右中切歯部ピースセットは、請求項２記載の通り、円形、方形、尖形の３つの個性のそれぞれについて、少なくとも色の違いおよび／または大きさの違いに基づいて複数種類用意された、人工歯２本と床用レジンで製作された上顎左右中切歯部に相当するピースから構成されてなることを特徴とする。
【発明の効果】
【０００５】
本発明によれば、例えば、総義歯を製作する際に行う咬合床への人工歯の排列を、再排列の必要が生じるといったことがないように簡易かつ的確に行う方法が提供される。
【発明を実施するための最良の形態】
【０００６】
本発明の人工歯排列方法は、円形、方形、尖形の３つの個性のそれぞれについて、少なくとも色の違いおよび／または大きさの違いに基づいて複数種類用意された、人工歯２本と床用レジンで製作された上顎左右中切歯部に相当するピースから構成されてなる上顎左右中切歯部ピースセットを用いて行うものである。上顎左右中切歯が、図１（ａ）〜（ｃ）に示したように、円形、方形、尖形の３つの個性に分類できることはよく知られており、本発明者が提案する上顎左右中切歯部ピースセットを構成するピースは、この３つの個性のいずれかに属するように大別される。そして、そのそれぞれについて、少なくとも色の違いおよび／または大きさの違いに基づいて複数種類のピースが用意される。例えば、３つの個性のそれぞれについて色の違いに基づいて５種類、大きさの違いに基づいて５種類を用意すれば、上顎左右中切歯部ピースセットは、３タイプ×５色×５サイズで７５種類のピースで構成される。ピースの種類は、色の違いと大きさの違いの他、材質（陶歯、硬質レジン歯、レジン歯）、向き、角度などに基づいて分類してもよい。
【０００７】
上顎左右中切歯部ピースセットを構成するピースの一実施形態について、その正面図を図２に、右側面図を図３に示す。この上顎左右中切歯部に相当するピースＡは、人工歯２本１，１’と床用レジンでできた台座２の他、上顎咬合床への付着を確実なものとするための固定ピン３から製作されたものである。
【０００８】
上顎左右中切歯部ピースセットを用いて行う人工歯排列方法の手順の概要は次の通りである。即ち、自体公知の方法で歯科医師が咬合採得した際、用意しておいたピースの中で最も患者に適合したピースを、上顎咬合床に正中線を指標に付着させておく。上顎咬合床へのピースの付着は、歯科技工士がこのピースにおける人工歯を総義歯の中切歯として用いることを前提に行ってもよいし、歯科技工士が総義歯の中切歯として用いる人工歯を別の人工歯とすることを前提に行ってもよい。歯科医師は、このピースを付着させてある上顎咬合床を歯科技工士に引き渡し、歯科技工士は、上顎咬合床に付着させてあるピースを基準に、即ち、このピースをガイドとして、自体公知の方法で人工歯を排列する。このようにすれば、歯科医師と歯科技工士とのコミュニケーションが、上顎咬合床に付着させてあるピースを通じて円滑に行われることで、歯科技工士は、咬合床に人工歯を簡易かつ的確に排列することができる。総義歯を製作するためのその後の工程は、排列の微調整を含めて自体公知の方法に従って行えばよい。
【０００９】
なお、以上の説明は、本発明の人工歯排列方法を総義歯を製作する場合に用いることを想定したものであるが、本発明の人工歯排列方法は、総義歯を製作する場合に限定して用いることができるのではなく、例えば、上顎左右中切歯を含めた前歯６本を補綴するための部分床義歯を製作する場合などに用いることもできる。
【００１０】
また、以上の説明は、クリニックとは異なった場所で作業を行う歯科技工士が人工歯を排列することを想定したものであるが、人工歯排列担当者は、このような歯科技工士に限定されるわけではなく、クリニック内で作業を行う歯科技工士であってもよいし、歯科医師自身であってもよい。
【００１１】
また、本発明の上顎左右中切歯部ピースセットは、それ自体を上顎左右中切歯を補綴するためのものとして利用することができる。
【産業上の利用可能性】
【００１２】
本発明は、例えば、総義歯を製作する際に行う咬合床への人工歯の排列を、再排列の必要が生じるといったことがないように簡易かつ的確に行う方法を提供することができる点において産業上の利用可能性を有する。
【図面の簡単な説明】
【００１３】
【図１】上顎中切歯の３つの個性（円形、方形、尖形）の概略図である。
【図２】上顎中切歯部に相当するピースの一実施形態の正面図である。
【図３】同、右側面図である。
【符号の説明】
【００１４】
Ａ  上顎左右中切歯部に相当するピース
１，１’  人工歯
２  床用レジンでできた人工歯の台座
３  固定ピン
【図１】
2005287966.tif 000003
【図２】
2005287966.tif 000004
【図３】
2005287966.tif 000005